(57)【要約】【課題】実質的にバインダー成分に頼らず、表面改質用粉末の洗剤粒子表面への付着性を向上させる表面改質処理方法を提供すること、該処理方法にて表面の被覆性が高まり、高溶解性でありながら耐ケーキング性に優れた洗剤粒子群の製造方法並びに前記処理方法を用いて得られる洗剤粒子群を含む洗剤組成物の製造方法を提供すること。【解決手段】洗剤粒子表面を表面改質用粉末にてコーティングする工程で、表面改質用粉末及び／又は洗剤粒子の帯電量の符号をお互いに正反対に調整する工程を有する洗剤粒子の表面改質処理方法、該処理方法を用いる洗剤粒子群の製造方法、並びに前記の処理方法を用いて得られる洗剤粒子群を含む洗剤組成物の製造方法。【選択図】なし【特許請求の範囲】
【請求項１】
洗剤粒子表面を表面改質用粉末にてコーティングする工程で、表面改質用粉末及び／又は洗剤粒子の帯電量の符号をお互いに正反対に調整する工程を有する洗剤粒子の表面改質処理方法。
【請求項２】
イオン化した空気を吹き付けることにより、表面改質用粉末と洗剤粒子の帯電量の符号をお互いに正反対にする請求項１記載の処理方法。
【請求項３】
表面改質用粉末及び／又は洗剤粒子が、製造プロセス中の装置及び配管との摩擦によって帯電させることにより、表面改質用粉末と洗剤粒子の帯電量の符号をお互いに正反対にする請求項１又は２記載の処理方法。
【請求項４】
実質的に液状のバインダー成分の添加を行なわずに、洗剤粒子表面を表面改質用粉末にてコーティングする請求項１〜３いずれか記載の処理方法。
【請求項５】
表面改質用粉末が結晶性アルミノ金属珪酸塩である請求項１〜４いずれか記載の処理方法。
【請求項６】
請求項１〜５いずれか記載の処理方法を用いる洗剤粒子群の製造方法。
【請求項７】
請求項１〜５いずれか記載の処理方法を用いて得られる洗剤粒子群を含む洗剤組成物の製造方法。
【発明の詳細な説明】
【技術分野】
【０００１】
本発明は、洗剤粒子と表面改質用の微粉末（表面改質用粉末）とを用いる洗剤粒子の表面改質処理方法に関する。また、本発明は、洗剤粒子群の製造方法及びこれを含む洗剤組成物の製造方法にも関する。
【背景技術】
【０００２】
洗剤は、長期の保存において洗剤粒子同士が結合し、固化状態になるケーキングを起こす。このようなケーキング現象は、洗剤粒子が保存中に水分や炭酸ガス等の成分を吸収することが主たる要因となっている。例えば、水分の吸収により水が洗剤粒子表面の成分を一部溶解させ、洗剤粒子表面に粘着性を有する部位を形成しケーキングを生じさせる。一方、炭酸ガスの吸収は、洗剤中のアルカリ成分である炭酸ナトリウム及び洗剤中の水分と反応し、粒子表面に炭酸水素ナトリウムやセスキ炭酸ナトリウムの針状結晶を毬栗状に生成させる。この針状結晶は隣り合う毬栗状の洗剤粒子表面の針状結晶と絡みあいケーキングを生じさせる。ケーキングは外観を著しく損ねるばかりでなく正確な計量ができない等、使い勝手を著しく損ねることになる。このような背景から、耐ケーキング性に優れた衣料用粉末洗剤に対する要望が高まっている。
【０００３】
かかる問題を解決するものとして、特許文献１では、粒状洗剤組成物と液状バインダー物質を混合した後にゼオライトＸで被覆することにより自由流動性を得る技術が開示されているが、この粒状洗剤組成物においてバインダー量が少ないと搬送時の応力により被覆粉体であるゼオライトＸが剥離し、十分な効果が得られず、バインダー量が多いと溶解性の低下をまねく。
【特許文献１】特許第２９６５９０５号公報
【発明の開示】
【発明が解決しようとする課題】
【０００４】
前記のように、表面改質用粉末やその他被覆剤によって、洗剤粒子表面の被覆性を高めることが耐ケーキング性の向上に効果的であることは明らかである。しかしながら、従来の技術は、バインダー成分そのものによる洗剤粒子表面のコーティングや、バインダー成分の粘着性を利用して表面改質用粉末を付着させるものであり、いずれも少なからず溶解性の劣化を伴うものであった。従って、本発明の目的は、実質的にバインダー成分に頼らず、表面改質用粉末の洗剤粒子表面への付着性を向上させる表面改質処理方法を提供すること、該処理方法にて表面の被覆性が高まり、高溶解性でありながら耐ケーキング性に優れた洗剤粒子群の製造方法並びに前記処理方法を用いて得られる洗剤粒子群を含む洗剤組成物の製造方法を提供することである。
【課題を解決するための手段】
【０００５】
かかる問題を解決する為に、本発明者らは鋭意検討した結果、洗剤粒子及び表面改質用粉末の帯電量に着目し、それぞれ帯電量の符号をお互いに正反対に調整することにより、表面改質用粉末の洗剤粒子への付着性が向上し、その結果、溶解性が低下するなどの不都合を生じることなく耐ケーキング性が向上することを見出し、本発明を完成するに至った。
【０００６】
即ち、本発明の要旨は、
〔１〕  洗剤粒子表面を表面改質用粉末にてコーティングする工程で、表面改質用粉末及び／又は洗剤粒子の帯電量の符号をお互いに正反対に調整する工程を有する洗剤粒子の表面改質処理方法、
〔２〕  前記〔１〕記載の処理方法を用いる洗剤粒子群の製造方法、並びに
〔３〕  前記〔１〕記載の処理方法を用いて得られる洗剤粒子群を含む洗剤組成物の製造方法
に関する。
【発明の効果】
【０００７】
本発明の表面改質処理方法を用いることにより、実質的にバインダー成分の添加を行わずとも表面改質用の微粉末の表面被覆率が向上し、耐ケーキング性が良好な洗剤粒子群を製造することが可能になるという効果が奏される。
【発明を実施するための最良の形態】
【０００８】
１．洗剤粒子
本発明に用いられる洗剤粒子は、洗剤組成物に配合される粒子であれば、特に限定はないが、粉末洗剤組成物として使用する場合の外観上の観点から、平均粒径１００〜９００μｍ、好ましくは２００〜４００μｍの洗剤粒子が好ましい。このような洗剤粒子は、多種多様な工程を経て製造することが可能である。例えば、スラリーを噴霧乾燥して洗剤粒子を得ても良いし、噴霧乾燥後に撹拌造粒及び／又は破砕造粒などを経て得られる洗剤粒子も好ましい。また、ドライ中和法や乾式造粒法で得られた洗剤粒子も好ましい。洗浄性能や溶解性の面から特に好ましい洗剤粒子として、特許第３１２３７５７号公報の請求項１〜８に記載の洗剤粒子が例示される。
【０００９】
また、前記洗剤粒子以外に、洗剤組成物に含有されることにより、洗浄性能を向上させたり、新たな機能を付与したりする粒子、例えば漂白剤、漂白活性化剤、柔軟化剤、シリコーン粒子、香料粒子、酵素、粒状炭酸ナトリウムなどを含んでもよい。これらの粒子の平均粒径としては、１００〜９００μｍが好ましい。
【００１０】
かかる洗剤粒子の平均粒径は、ＪＩＳ  Ｚ  ８８０１の標準篩（目開き２０００〜１２５μｍ）を用いて５分間振動させた後、篩目のサイズによる重量分率からメジアン径を算出することによって求める。
【００１１】
２．表面改質用粉末
本発明において用いられる表面改質用粉末は、前記洗剤粒子を表面改質するために使用される微粉末である。該表面改質用粉末の一次粒子の平均粒径は、１０μｍ以下であることが好ましく、０．１〜１０μｍであることがより好ましく、０．５〜５μｍであることがさらに好ましい。平均粒径がこの範囲において、洗剤粒子群の粒子表面での被覆率（表面被覆率）が向上し、洗剤粒子群の流動性と耐ケーキング性の向上の観点から好適である。当該微粉末の平均粒径は、光散乱を利用した方法、例えばパーティクルアナライザー（堀場製作所（株）製）、または、走査型電子顕微鏡（ＳＥＭ）によるフェレー径の測定等で測定される。また、該微粉体が高いイオン交換能や高いアルカリ能を有していることが洗浄面から好ましい。
【００１２】
該表面改質用粉末としては、アルミノ珪酸塩がより好ましく、カルシウム捕捉能の観点から、結晶性アルミノ金属珪酸塩がより好ましい。結晶性アルミノ金属珪酸塩の具体例としては、後述のものが挙げられる。アルミノ珪酸塩以外では、硫酸ナトリウム、珪酸カルシウム、二酸化珪素、ベントナイト、タルク、クレイ、非晶質シリカ誘導体のような微粉体も好ましい。また、一次粒子が０．１〜１０μｍの金属石鹸、粉末の界面活性剤（例えばアルキル硫酸塩等）や水溶性有機酸塩も同様に用いることができる。
【００１３】
表面改質用粉末の使用量としては、洗剤粒子１００重量部に対して０．５〜４０重量部が好ましく、１〜３０重量部がより好ましく、２〜２０重量部が更に好ましく、３〜１５重量部が最も好ましい。当該表面改質用粉末の使用量はこの範囲において、流動性が向上し、消費者に良好な使用感を与える。
本発明における、表面改質用粉末の平均粒径はＳＥＭによる定方向接線径（フェレー径）の平均値とする。
【００１４】
３．帯電量の符号
本発明は、表面改質用粉末及び／又は洗剤粒子の帯電量の符号をお互いに正反対に調整する工程を有することを特徴とする表面改質処理方法である。従って、表面改質用粉末及び洗剤粒子それぞれにおける帯電量の符号を測定することが極めて重要である。該表面改質用粉末（以下、単に粉末ともいう）及び洗剤粒子（以下、単に粒子ともいう）の誘電率、及び配管や混合装置に使用されている物質の誘電率などから、正負のどちらに帯電しているかというような定性的な判断は可能ではあるが、本発明においては帯電量を実測し、その符号を求めることとする。
理論的には、電荷はその付近に電場を作るので、静的な場合にはこの電場を線積分して、電位差( 電圧) を定義できる。電位差を測定する技術は、手軽かつ信用できる方法が開発されているので、荷電体の幾何学的な形状が分かれば、静電容量を計算する事が出来、静電容量と電位差から電荷量を測定出来る。しかしながら、粉末及び粒子が荷電体の場合、形状を特定するのが困難であるため、静電容量及び帯電量を測定するのは事実上不可能である。
【００１５】
従って、本発明において、帯電量は、粉末又は粒子から一定の距離をおいて測定した電位差で表す。具体的には、一定の距離で電位差を測定することで、粉末及び粒子１個１個の形状は無視し、粉末及び粒子全体が一つの粉体層を形成していると仮定し、その粉体層全体の電位差を測定することにより、帯電量の測定とする。本発明においては、粉末又は粒子から１センチメートル離して帯電量を測定する。帯電量の符号とは、前記の方法で測定した帯電量の符号のこととする。
【００１６】
表面電位の測定に使用できる装置としては、（株）キーエンス製の「高精度静電気センサＳＫ-０３０／２００」や春日電機（株）製の「低電位表面電位計ＫＳＤ-０３０３」、トレック社製の「表面電位計Ｍｏｄｅｌ３４４」などの非接触型の各種表面電位計が使用できる。
【００１７】
なお、本発明においては、粉末及び粒子を混合する際に、粉末又は粒子の帯電量の符号が互いに逆に（正反対に）調整されていればよい。
ただし、表面改質用粉末の帯電量の絶対値は、小さい方が表面改質用粉末同士の静電反発が抑制され、コーティング層に厚みが出るので好ましい。
尚、本発明においてコーティングとは表面改質用粉末で洗剤粒子の表面の一部又は全部を被覆することを意味し、コーティング層とは、洗剤粒子表面上に形成された表面改質用粉末の被覆層をいう。
【００１８】
４．帯電量の調整方法
表面改質用粉末及び洗剤粒子の帯電量の調整方法としては、以下に示すものがある。
【００１９】
４-Ａ．界面活性剤による帯電量の調整
表面改質用粉末や洗剤粒子群に界面活性剤を混合することによって、帯電量の符号を調整することが可能となる。例えば、負の符号を取りやすい場合でも、陽イオン性界面活性剤にて処理することによって、帯電量の符号を正にすることもできる。
前記帯電量の調整に使用可能な界面活性剤としては、表面改質用粉末や洗剤粒子の表面物性の違いによって多種多様な組み合わせが考えられる。例えば、負に帯電している粒子及び粉末の帯電量の絶対値を減少させて正の方向にするという観点から、陽イオン性界面活性剤が好ましい。陽イオン性界面活性剤としては、第四級アンモニウム塩が好ましく、炭素数１２〜１６のアルキルトリメチルアンモニウムクロライドと炭素数１２〜１８のジアルキルジメチルアンモニウムクロライドが特に好ましい。
【００２０】
界面活性剤の量は、表面改質用粉末又は洗剤粒子それぞれに対して０．１〜１０重量％が好ましく、１〜５重量％がより好ましい。この量は、洗剤粒子の流動性を維持する観点から、１０重量％以下が好ましく、また、帯電量を制御するに十分な効果が得られる観点から、０．１重量％以上が好ましい。また、界面活性剤の量は、表面改質用粉末に対して、０．１〜１０重量％が好ましく、０．１〜５重量％がより好ましい。界面活性剤の量は、洗剤粒子に対して０．１〜１０重量％が好ましく、０．１〜５重量％が好ましく、０．１〜２重量％がより好ましい。
【００２１】
また、界面活性剤の添加方法としては、表面改質用粉末及び洗剤粒子との十分な混合を保証するものであれば、どのような方法で行っても良い。但し、液状の界面活性剤を混合する際には、界面活性剤を噴出、噴霧する技術を併用するのが好ましい。
【００２２】
界面活性剤と表面改質用粉末又は洗剤粒子とを緊密に混合するために用いられる粉砕装置や混合装置は特に限定されるわけではないが、以下に示されるものが好ましく用いられる。
【００２３】
粉砕装置としては、化学便覧（化学工学会編、ｐ．８２６〜８３８（１９９８））記載の粉砕機が用いられ、例えば以下のものが挙げられる。
（１）圧力や打撃力により粉砕する装置で、例えばジョークラッシャー、ジャイレトリクラッシャー、ロールクラッシャー、ロールミル等がある。
（２）高速回転するローター周辺に打撃板が固定され、ローターと打撃板とによるせん断力等によって処理物を粉砕する装置で、例えばハンマーミル、インパクトクラッシャー、ピンミル等がある。
（３）リング上にロールもしくはボールが押しつけられつつ回転し、その間で処理物をすりつぶして粉砕する装置で、例えばリングローラーミル、リングボールミル、遠心ローラーミル、ボールベアリングミル等がある。
（４）円筒形の粉砕室を備え、その粉砕室の中に粉砕媒体としてボールやロッドを入れて回転もしくは振動させることにより処理物を粉砕する粉砕装置で、例えばボールミル、振動ミル、遊星ミル等がある。
（５）円筒形の粉砕室を備え、その粉砕室にボールまたはビーズなどの粉砕媒体を入れ、この媒体に挿入したディスク型やアニュラー型の攪拌機構による、せん断、摩擦作用によって処理物を粉砕する装置で、タワーミル、アトライター、サンドミル等がある。
（６）高速回転する径の小さい円板間に液体を流し、強いせん断力を加えて分散・粉砕する装置でコロイドミル等がある。
【００２４】
次に混合装置としては、以下のものが例示される。
（１）混合槽内部に攪拌軸を有し、この軸に攪拌羽根を取り付けて、混合を行う形式のミキサー。例えばヘンシェルミキサー、ハイスピードミキサー（深江工業（株）製）等がある。
（２）粉体投入口を備えた竪型シリンダーと混合ブレードを備えたメインシャフトより成り、メインシャフトは上部軸受けによって支えられ、排出側がフリーになっている構造の連続ミキサー。例えばフレキソミックスミキサー（（株）パウレック製）がある。
（３）攪拌ピンを有した円盤の上部に原料を投入し、この円盤を高速回転させて、せん断作用によって混合を行う連続ミキサー。例えばフロージェットミキサー（（株）粉研パウテックス製）、スパイラルピンミキサー（太平洋機工（株）製）等がある。
【００２５】
混合時間は、好ましくは１秒〜５０分、より好ましくは１０秒〜１０分である。また特に混合機を使用せずに界面活性剤をガス状、蒸気、エアロゾル様の状態で表面改質用粉末及び洗剤粒子との接触／混合を行うことも可能である。
【００２６】
４-Ｂ．空気イオンによる帯電量の調整
表面改質用粉末及び洗剤粒子の帯電量の符号は、イオン化した空気（空気イオンともいう）を吹き付けることによって調整することが可能である。例えば表面改質用粉末及び洗剤粒子の帯電量と反対の電荷を有した空気イオンを表面改質用粉末及び洗剤粒子に吹き付けることによって、電荷を打ち消したり、帯電量の符号を逆転することができる。
【００２７】
かかる空気イオンを用いる操作については、市販の静電気除去装置が利用できる。市販の静電気除去装置としては、対象物に空気イオンを送風によって吹き付けるタイプのものや、軟Ｘ線を照射して大気中のイオンを電離させるタイプのものが存在する。本発明の目的からは、空気イオンを送風によって吹き付けるタイプの方が、帯電量の符号の調整が行いやすく好ましい。また、軟Ｘ線を照射するタイプは、Ｘ線を遮蔽するための防護装置などが必要となるので、空気イオンを送風で吹き付けるタイプの方が安全性の面でも好ましい。空気イオンを吹き付けるタイプのものに関しては、帯電量測定装置を併用した場合、対象物の帯電量の符号に合わせて空気イオンの生成量を変化させることが可能となり、帯電量の符号の調整が効率良く行えて好ましい。
【００２８】
空気イオンを吹き付けるタイプとしては、（株）キーエンスの除電ブロアや春日電機（株）の送風型直流除電機などが挙げられ、軟Ｘ線照射のタイプとしては、例えば浜松ホトニクス（株）製のフォトイオナイザ（光照射式静電気除去装置）が挙げられる。静電気除去装置による処理方法については、装置と表面改質用粉末及び洗剤粒子の位置については、装置と処理物との距離が近いと空気イオンの飛散や軟Ｘ線の減衰が抑制されるので好ましく、逆に遠くなると空気イオンが到達する領域は広くなるという点で好ましい。これらの装置と対象物の距離としては、０．１〜１．０ｍが好ましく、０．１〜０．６ｍが更に好ましい。装置での処理時間に関しては、帯電量の符号が所望の符号になるまでであるが、短いほど生産の効率という点では好ましい。なお、イオン化した空気と洗剤粒子又は表面改質用粉末を接触させる時期としては、帯電量の符号の変化を抑制するという観点から、これらの粒子と粉末を混合する直前が好ましい。
【００２９】
４-Ｃ．摩擦による帯電量の調整
洗剤粒子及び表面改質用粉末は、製造プロセス中の装置や配管との摩擦によって帯電し、その帯電量が変化する。例えば、粒子を空気輸送する際などは、輸送管内壁と粒子、及び粒子同士の衝突による摩擦によって粒子の帯電量が増大する現象が知られている。一般的に配管や装置に使われている素材は鉄やステンレス鋼が多いので、表面改質用粉末や洗剤粒子は、摩擦によって負の電荷を持つ場合が多い。従って、表面改質用粉末もしくは洗剤粒子のどちらか一方を、表面改質工程へ輸送する際（特に空気輸送が配管との接触なども大きくて好ましい）の配管を樹脂製のものを使用した場合、金属製の配管を使用したもう一方と帯電量の符号を反対にすることが可能となる。
【００３０】
上記４-Ａ〜４-Ｃの方法は、併用しても構わない。
上記４-Ａ〜４-Ｃに示した帯電量の符号の調整処理で、洗剤粒子と表面改質用粉末間の電気的な反発を抑制し、表面改質用粉末による洗剤粒子の被覆率を向上させるという効果が発現される。従ってかかる目的のためには、表面改質用粉末によって洗剤粒子がコーティングされる工程において、表面改質用粉末と洗剤粒子の帯電量の符号が逆になっていれば良い。
【００３１】
帯電量の絶対値は、一概に限定できないが、表面改質用粉末同士の電気的な反発を抑制し、コーティング層の厚みを出すためには、１５０Ｖ以下が好ましく、１００Ｖ以下がより好ましく、５０Ｖ以下が特に好ましい。
【００３２】
尚、表面改質用粉末による洗剤粒子の被覆率に関しては、実施例において例示するようなＦＴ-ＩＲ／ＰＡＳなどの表面分析装置を用いて実測可能である。該被覆率としては、高ければ高いほど洗剤粒子の露出面積が小さくなるという観点から、１．４以上が好ましく、１．５以上がより好ましい。また、コーティング層の厚みに関しては、コーティング操作後の粒子を割断し、走査型電子顕微鏡による観察を行うことによって実測可能である。該コーティング層の厚みとしては、厚ければ厚いほど洗剤粒子間の接触を防ぐことになるという観点から、７μｍ以上が好ましく、８μｍ以上がより好ましく、９μｍ以上が特に好ましい。
【００３３】
また、本発明の処理方法は、洗剤粒子の溶解性を高める観点から、前記洗剤粒子表面を表面改質用粉末にてコーティングする工程において、実質的に液状のバインダー成分の添加を行なわないことが好ましい。液状のバインダー成分としては、特に限定はないが、後述する洗剤粒子群に用いることができる界面活性剤や水溶性ポリマー等が挙げられる。
【００３４】
５．洗剤粒子群の溶解性と耐ケーキング性
前記のように本発明の処理方法を用いて、得られた洗剤粒子群は、実質的にバインダー成分を含有しなくとも表面改質用の微粉体（表面改質用粉末）による表面被覆率が高くなるという特徴を有している。従って、本発明の処理方法を用いることで、溶解性を損なうことなく、耐ケーキング性の優れた洗剤粒子群を得ることができる。
【００３５】
溶解性を評価する方法の一つに、５℃の冷水中に洗剤粒子群を添加して、一分間撹拌したのち、メッシュを通過する割合を重量百分率で求め、その数値を指標とすることができる。かかる溶解率は特に限定されるものではないが、帯電量を操作した表面改質用粉末によって被覆された洗剤粒子群は、処理を行っていない表面改質用粉末によって被覆された洗剤粒子群に比べて、溶解率が±３ポイント以内になるのが好ましく、±２ポイント以内になるのがより好ましい。
【００３６】
耐ケーキング性を評価する方法の一つとして、洗剤粒子群を高湿度の大気下に保存した後に、篩目開き５ｍｍの篩を通過する割合を重量百分率で求め、その数値を指標として用いる評価方法がある。かかる篩通過率は特に限定されるものではないが、帯電量を操作した表面改質用粉末によって被覆された洗剤粒子は、処理を行っていない表面改質用粉末によって被覆された洗剤粒子に比べて、篩通過率が５ポイント以上高くなることが好ましく、１０ポイント以上高くなることがより好ましい。
【００３７】
なお、溶解率、篩通過率は、後述の実施例に記載の方法に従って測定することができる。
【００３８】
６．洗剤粒子群
本発明の洗剤粒子群は、結晶性アルカリ金属珪酸塩、界面活性剤、水溶性ポリマー、水溶性塩類、水不溶性物質等を含有することができる。
【００３９】
本発明の洗剤粒子群に用いることができる結晶性アルカリ金属珪酸塩としては、例えば、式（Ｉ）：
ｘＭ2 Ｏ・ｙＳｉＯ2 ・ｚＭｅＯ・ｗＨ2 Ｏ                    （Ｉ）
（式中、ＭはＮａ及び／又はＫを示し、ＭｅはＣａ及び／又はＭｇを示し、ｙ／ｘ＝０．５〜４．０、ｚ／ｘ＝０〜１．０、ＭｅＯ中のＭｇ／Ｃａ＝０〜１０である）
で表される組成のものが好適である。また、特にイオン交換能の高いアルカリ金属珪酸塩として特公平１-４１１１６号公報記載の結晶質アルカリ金属珪酸塩が例示される。
【００４０】
更に高いイオン交換能を発現する、より好ましいアルカリ金属珪酸塩としては、上記の組成式（Ｉ）において、さらに、ｙ／ｘ＝１．０〜２．１、ｚ／ｘ＝０．００１〜１．０のアルカリ金属珪酸塩が挙げられる。このような組成のアルカリ金属珪酸塩は、特許第２５２５３１８号公報記載の合成無機ビルダーが好適である。
【００４１】
また、本発明においては、カリウムを含有するアルカリ金属珪酸塩を用いることにより、その保存安定性を一段と向上させることができる。このような好適な、カリウムを含有するアルカリ金属珪酸塩の組成としては、上記の式（Ｉ）において、さらに、ｙ／ｘ＝１．４〜２．１、ｚ／ｘ＝０．００１〜１．０、Ｍ2 Ｏ中のＫ／Ｎａ＝０．０９〜１．１１で表される組成が挙げられる。このようなアルカリ金属珪酸塩としては、特許第２５２５３４２号公報記載の結晶性アルカリ金属珪酸塩が特に好適例として挙げられる。
【００４２】
これらの結晶性アルカリ金属珪酸塩の中でも、カルシウムやマグネシウム等の硬度成分捕捉能の観点から、最も好ましいのは、式中のｘ＝１、ｙ＝２、ｚ＝０で、Ｍ＝Ｎａである結晶性層状二珪酸ナトリウムＮａ2 Ｓｉ2 Ｏ5 ・ｗＨ2 Ｏである。結晶性層状二珪酸ナトリウムは、α、β、δ及びεの多型の相から構成される。商業的な製品では、非晶質画分も存在し得る。そのため、商業的な製品でのｙの値は奇数であっても、小数点以下を含む値になってもよい。好ましくは、ｙは１．９以上かつ２．２以下である。好ましい結晶性層状二珪酸ナトリウムは、０〜４０重量％の割合のα-二珪酸ナトリウム、０〜４０重量％のβ-二珪酸ナトリウム、４０〜１００重量％の割合のδ-二珪酸ナトリウム、０〜４０重量％の割合の非晶質画分からなる。特に好ましい結晶性層状二珪酸ナトリウムは７〜２１重量％の割合のα-二珪酸ナトリウム、０〜１２重量％の割合のβ-二珪酸ナトリウム、６５〜９５重量％の割合のδ-二珪酸ナトリウム、０〜２０重量％の割合の非晶質画分からなる。最も好ましいものは、δ-二珪酸ナトリウムを８０〜１００重量％の割合で含む結晶性層状二珪酸ナトリウムである。
【００４３】
結晶性アルカリ金属珪酸塩は、前記のように例示したものを単独で使用してもよいし、数種類のものを混ぜて混合物として使用してもよい。
【００４４】
結晶性アルカリ金属珪酸塩の量としては、洗剤粒子群中、アルカリ緩衝能とカルシウム捕捉能の観点から、１〜１４重量％が好ましく、３〜１２重量％がより好ましい。
【００４５】
本発明の洗剤粒子群に用いることができる界面活性剤としては、例えば、陰イオン性界面活性剤、非イオン性界面活性剤、陽イオン性界面活性剤及び両性界面活性剤よりなる群から選ばれた１種以上を用いることができる。陰イオン性界面活性剤としては、アルキルベンゼンスルホン酸塩、アルキル又はアルケニルエーテル硫酸塩、α-オレフィンスルホン酸塩、α-スルホ脂肪酸塩又はこのエステル、アルキル又はアルケニルエーテルカルボン酸塩、アミノ酸型界面活性剤、Ｎ-アシルアミノ酸型界面活性剤等が例示される。特に炭素数１０〜１４の直鎖アルキルベンゼンスルホン酸塩、炭素数１０〜１８のアルキル硫酸塩又はアルキルエーテル硫酸塩があげられ、対イオンとしてはナトリウム、カリウム等のアルカリ金属、モノエタノールアミン、ジエタノールアミン等のアミンが好ましい。
更に、消泡効果を得るために脂肪酸塩を併用することができる。好ましい脂肪酸の炭素数は、１２〜１８である。
【００４６】
非イオン性界面活性剤としては、ポリオキシエチレンアルキル又はアルケニルエーテル、ポリオキシエチレンアルキル又はアルケニルフェニルエーテル、ポリオキシエチレンポリオキシプロピレンアルキル又はアルケニルエーテル、商標プルロニックに代表されるポリオキシエチレンポリオキシプロピレングリコール、ポリオキシエチレンアルキルアミン、高級脂肪酸アルカノールアミド、アルキルグルコシド、アルキルグルコースアミド、アルキルアミンオキサイド等があげられる。中でも親水性の高いもの及び水と混和した際に生じる液晶の形成能の低い若しくは液晶を生じないものが好ましく、ポリオキシアルキレンアルキル又はアルケニルエーテルが特に好ましい。好ましくは炭素数が１０〜１８、より好ましくは１２〜１４であり、平均付加モル数が好ましくは５〜３０、より好ましくは７〜３０、更に好ましくは９〜３０、特に好ましくは１１〜３０であるアルコールのエチレンオキサイド（以下ＥＯ）付加物、その他に炭素数８〜１８のアルコールのＥＯ付加物及びプロピレンオキサイド（以下ＰＯ）付加物であることが好ましい。付加順序としてはＥＯを付加した後にＰＯを付加したもの、ＰＯを付加した後にＥＯを付加したもの、あるいはＥＯとＰＯをランダムに付加したものを用いることができるが、特に好ましい付加順序を有するものとしては、ＥＯを付加した後、ＰＯをブロック付加し、更にＥＯをブロック付加した一般式：
Ｒ-Ｏ-（ＥＯ）X -（ＰＯ）Y -（ＥＯ）Z -Ｈ
〔式中、Ｒは炭素数８〜１８の炭化水素基、好ましくはアルキル基又はアルケニル基、ＥＯはエチレンオキサイド基、ＰＯはプロピレンオキサイド基、Ｘ、Ｙ及びＺはそれぞれ平均付加モル数を表す。〕
で表されるものであり、その中でも最も好ましい平均付加モル数の関係に関しては、Ｘ＞０、Ｚ＞０、Ｘ＋Ｙ＋Ｚ＝６〜１４であり、Ｘ＋Ｚ＝５〜１２であり、Ｙ＝１〜４である。
【００４７】
陽イオン性界面活性剤としては、アルキルトリメチルアンモニウム塩等の第４級アンモニウム塩等が挙げられる。
【００４８】
両性界面活性剤としては、カルボベタイン型のもの、スルホベタイン型のもの等が例示される。
【００４９】
かかる界面活性剤の量としては、洗剤粒子群中、洗浄性能の観点から、５〜３５重量％が好ましく、１０〜３５重量％がより好ましく、１５〜３５重量％が更に好ましく、２０〜３０重量％が特に好ましい。
【００５０】
本発明の洗剤粒子群にキレート剤や分散剤として含有される水溶性ポリマーとしては、例えば、カルボン酸系ポリマー、カルボキシメチルセルロース等のセルロース誘導体、ポリグリオキシル酸塩、ポリアスパラギン酸塩等のアミノカルボン酸系のポリマー、可溶性澱粉、糖類等からなる群より選ばれる一種以上が好ましいものとして例示でき、中でもカルボン酸系ポリマーが水溶性塩類の微細化作用の点、並びに洗浄力、具体的には、金属イオンを封鎖する作用、固体粒子汚れを衣料から洗濯浴中へ分散させる作用及びその粒子が衣料へ再付着することを防ぐ作用の点からより好ましい。
【００５１】
カルボン酸系ポリマーの中で、アクリル酸-マレイン酸共重体とその塩（Ｎａ、Ｋ、ＮＨ4 等）、アクリル酸重合体とその塩（Ｎａ、Ｋ、ＮＨ4 等）が特に優れている。
【００５２】
これらの水溶性ポリマーの重量平均分子量は１千〜３０万が好ましく、２千〜１０万がより好ましく、２千〜８万が更に好ましく、５千〜５万が中でも好ましく、６千〜２万が特に好ましい。
分子量測定法としては、
１．換算標準物質：ポリアクリル酸（AMERICAN STANDARDS CORP)
２．溶離液：0.2mol/Lリン酸バッファー／ＣＨ3 ＣＮ：９／１（容量比）
３．カラム：PWXL＋G4000PWXL ＋G2500PWXL （東ソー（株）製）
４．検出器：ＲＩ
５．試料濃度：５ｍｇ／ｍＬ
６．注入量：０．１ｍＬ
７．測定温度：４０℃
８．流速：１．０ｍＬ／ｍｉｎ
で行なう。
【００５３】
上記カルボン酸系ポリマー以外に、ポリグリオキシル酸塩等のポリマー、カルボキシメチルセルロース等のセルロース誘導体、並びにポリアスパラギン酸塩等のアミノカルボン酸系のポリマーも金属イオン封鎖能、分散能及び再汚染防止能を有するものとして用いることができる。
【００５４】
その他にポリビニルピロリドン（ＰＶＰ）、ポリエチレングリコール（ＰＥＧ）、ポリプロピレングリコール（ＰＰＧ）等があげられる。ＰＶＰは、色移り防止剤として好ましく、又分子量１千〜２万程度のＰＥＧ及びＰＰＧは、粉末洗剤が含水して生じるペースト粘度特性を改善することから好ましい。
【００５５】
水溶性ポリマーの洗剤粒子群中の含有量は、２〜２５重量％が好ましく、２．５〜２０重量％がより好ましく、３〜１５重量％が更に好ましく、３．５〜１０重量％が特に好ましい。この範囲であると、洗剤粒子の強度が十分高いものとなる。
【００５６】
本発明の洗剤粒子群において、アルカリ緩衝剤や充填剤として使用される水溶性塩類としては以下に記載のものが好ましい。水溶性塩類としては、炭酸、硫酸、炭酸水素、亜硫酸、硫酸水素、リン酸等の水溶性の無機塩（例えば、アルカリ金属塩、アンモニウム塩、又はアミン塩）を挙げることができる。又、塩化物、臭化物、沃化物、弗化物等のハロゲン化アルカリ金属塩（例えば、ナトリウム塩又はカリウム塩）及びアルカリ土類金属塩（例えば、カルシウム塩又はマグネシウム塩）等が挙げられる。
【００５７】
これらの中で、炭酸塩、硫酸塩及び亜硫酸塩が好ましい。炭酸塩は洗濯液中で好適なｐＨ緩衝領域を示すアルカリ剤として好ましく、硫酸塩、亜硫酸塩等の解離度の高い塩類は、洗濯液のイオン強度を高め、皮脂汚れ洗浄等に好適に作用する。亜硫酸塩は水道水中に含有されている次亜塩素酸イオンを還元し、酵素や香料等の洗剤成分の次亜塩素酸イオンによる酸化劣化を防止する効果を有する。トリポリリン酸ナトリウムも水溶性塩類として使用できる。
【００５８】
水溶性塩類は、単独成分からなっていても、炭酸塩と硫酸塩等の複数成分を併用しても良い。
【００５９】
低分子量の水溶性有機酸塩類としては、クエン酸塩、フマル酸塩等のカルボン酸塩が挙げられる。又、洗浄力の点から、メチルイミノジ酢酸塩、イミノジコハク酸塩、エチレンジアミンジコハク酸塩、タウリンジ酢酸塩、ヒドロキシエチルイミノジ酢酸塩、β-アラニンジ酢酸塩、ヒドロキシイミノジコハク酸塩、メチルグリシンジ酢酸塩、グルタミン酸ジ酢酸塩、アスパラギンジ酢酸塩、セリンジ酢酸塩等が好ましいものとして挙げられる。
【００６０】
水溶性塩類の洗剤粒子群中の含有量は、１０〜４５重量％が好ましく、１５〜４０重量％がより好ましく、２０〜３７．５重量％が更に好ましく、２５〜３５重量％が特に好ましい。これらの範囲内であれば、洗剤粒子の粒子強度が十分高いものとなり、又、洗剤粒子の溶解性の点でも好ましい。
【００６１】
本発明の洗剤粒子群には、例えば、ゼオライトのような水不溶性物質は、金属イオン封鎖能を有するので、洗浄力の点で含有することが好ましい。このような水不溶性物質としては、結晶性アルミノ珪酸塩、非晶質アルミノ珪酸塩、二酸化珪素、水和珪酸化合物、パーライト、ベントナイト等の粘土化合物等を用いることができ、結晶性アルミノ珪酸塩が好ましい。又、該アルミノ珪酸塩の平均粒径は、０．１〜１０μｍが好ましく、０．５〜５μｍがより好ましい。
【００６２】
結晶性アルミノ金属珪酸塩として好適なものは、Ａ型ゼオライト（例えば、商品名：「トヨビルダー」；東ソー（株）製、商品名：「合成ゼオライト」；日本ビルダー（株）製、商品名：「ＶＡＬＦＯＲ１００」「ＶＡＬＦＯＲ３００」；ＰＱ  ＣＨＥＭＩＣＡＬＳ（Ｔｈａｉｌａｎｄ）Ｌｔｄ、商品名：「ＺＥＯＢＵＩＬＤＥＲ」；ＺＥＯＢＵＩＬＤＥＲ  Ｌｔｄ、商品名：「ＶＥＧＯＢＯＮＤ  Ａ」；ＯＭＡＮ  ＣＨＥＭＩＣＡＬ  ＩＮＤＵＳＴＲＩＥＳ  Ｌｔｄ、商品名：「Ｚｅｏｌｉｔｅ」；ＴＨＡＩ  ＳＩＬＩＣＡＴＥ  ＣＨＥＭＩＣＡＬＳ  Ｌｔｄ）であり、金属イオン封鎖能及び経済性の点でも好ましい。ここで、Ａ型ゼオライトの、ＪＩＳ  Ｋ  ５１０１法による担持能の値は４０〜５０ｍＬ／１００ｇであることが好ましい。その他、Ｐ型（例えば商品名「Ｄｏｕｃｉｌ  Ａ２４」や「ＺＳＥ０６４」等；Ｃｒｏｓｆｉｌｄ社製；担持能６０〜１５０ｍＬ／１００ｇ）やＸ型（例えば商品名：「ＷｅｓｓａｌｉｔｈＸＤ」；Ｄｅｇｕｓｓａ社製；担持能８０〜１００ｍＬ／１００ｇ）が挙げられる。国際公開第９８／４２６２２号パンフレット記載のハイブリッドゼオライトも好適な結晶性アルミノ珪酸塩として挙げられる。
【００６３】
又、金属イオン封鎖能は低いが、高い担持能を有する非晶質アルミノ珪酸塩や非晶質シリカ等も洗剤組成物に含有することができる。例えば特開昭６２-１９１４１７号公報第２頁右下欄第１９行〜第５頁左上欄第１７行（特に初期温度は１５〜６０℃の範囲が好ましい。）、特開昭６２-１９１４１９号公報第２頁右下欄第２０行〜第５頁左下欄第１１行（特に吸油量は１７０ｍＬ／１００ｇが好ましい。）に記載の非晶質アルミノ珪酸塩や、特開平９-１３２７９４号公報第１７欄第４６行〜第１８欄第３８行、特開平７-１０５２６号公報第３欄第３行〜第５欄第９行、特開平６-２２７８１１号公報第２欄第１５行〜第５欄第２行、特開平８-１１９６２２号公報第２欄第１８行〜第３欄第４７行に記載されている非晶質アルミノ珪酸塩（担持能２８５ｍＬ／１００ｇ）等を挙げることが出来る。例えば、「トクシールＮＲ」（徳山ソーダ（株）社製：担持能２１０〜２７０ｍＬ／１００ｇ）、「フローライト」（同：担持能４００〜６００ｍＬ／１００ｇ）、「ＴＩＸＯＬＥＸ２５」（韓仏化学社製：担持能２２０〜２７０ｍＬ／１００ｇ）、「サイロピュア」（富士ディビソン（株）社製：担持能２４０〜２８０ｍＬ／１００ｇ）等の吸油担体を用いることが出来る。特に吸油担体としては特開平６-１７９８９９号公報第１２欄第１２行〜第１３欄第１行、第１７欄第３４行〜第１９欄第１７行に記載のものが好適である。
【００６４】
水不溶性物質の洗剤粒子群中での含有量は、５〜５５重量％が好ましく、１０〜５０重量％がより好ましく、１５〜４５重量％が更に好ましく、２０〜４０重量％が最も好ましい。この範囲であれば、洗浄性能が高く、粒子強度や溶解性に優れる洗剤粒子群が得られる。
水不溶性物質は、単独成分又は複数成分から構成されていても良い。
【００６５】
又、洗剤粒子群には、公知の蛍光染料、顔料、染料、酵素等の補助成分を含むことができる。該補助成分の含有量は洗剤粒子群中の０．１〜１５重量％が好ましく、より好ましくは０．１〜１０重量％、特に好ましくは０．１〜５重量％である。
【００６６】
７．洗剤粒子群の製造方法
本発明の洗剤粒子群の製造方法は、前記本発明の表面改質処理方法を用いることに特徴があり、かかる特徴を有することで、得られる洗剤粒子群の保存安定性、特に耐ケーキング性が優れるという利点がある。製造方法については特に限定はなく、コーティング操作の前に洗剤粒子と表面改質用粉末の帯電量を調整する工程を含めば良い。以下に、洗剤粒子群の製造方法を一例として示すが、この製法に限定されるわけではない。
【００６７】
工程（ａ）：水溶性ポリマー、水不溶性物質及び水溶性塩類を含有するスラリーを調製する工程、
工程（ｂ）：そのスラリーを噴霧乾燥して、界面活性剤担持用顆粒群を調製する工程、
工程（ｃ）：界面活性剤組成物が液状の条件下にて、工程（ｂ）で得られた界面活性剤担持用顆粒群と界面活性剤組成物と結晶性アルカリ金属珪酸塩を混合する工程、
工程（ｄ）：工程（ｃ）で得られた混合物（洗剤粒子）及び／又は微粉体（表面改質用粉末）の帯電量の符号をお互いに正反対に調整する工程、
工程（ｅ）：工程（ｄ）において帯電量を調整した洗剤粒子と表面改質用粉末とを混合し、洗剤粒子の表面を表面改質用粉末で被覆して洗剤粒子群を得る工程から成る。以下、各工程について詳細に記述する。
【００６８】
＜工程（ａ）＞
工程（ａ）で調製するスラリーは、ポンプ送液が可能で非硬化性のスラリーであればよい。スラリーの温度を一定の範囲にすることで水溶性塩類の溶解度が増し、スラリーの粘度上昇を抑制し、ポンプ送液性の点で好ましい。つまりスラリー温度は、好ましくは３０〜８０℃であり、さらに好ましくは３５〜６５℃である。
【００６９】
また、スラリーの水分が少ないほど、乾燥工程で蒸発させる水分が少なくなり生産性の面で好ましい。スラリー水分が多いほど、水溶性塩類の溶解量が多くなり、スラリー粘度が減少するのでポンプ送液性の面で好ましい。従ってスラリー水分は、好ましくは３０〜７０重量％、より好ましくは３５〜６５重量％、最も好ましくは４０〜６０重量％である。
【００７０】
スラリー調製方法として、成分の添加方法、順序については、状況に応じて適宜可変である。例えば、最初に水の全て又は殆ど全てを混合槽に加え、好ましくは水温が設定温度にほぼ到達した後に、他の成分を逐次又は同時に添加する。通常の添加順序としては、先にポリアクリル酸塩等の液状成分を添加し、その後に、ソーダ灰等の水溶性の粉体原料を添加する。また、染料等の少量の補助成分も添加する。最後にゼオライト等の水不溶性物質などの水不溶性の成分を添加する。その際に、混合効率を向上させる目的で、水不溶性の成分を２回以上に分割して添加してもよい。また、粉体原料を予め混合後に水性媒体中に添加してもよい。また、全成分添加後に、粘度やスラリー水分調整のために水を添加してもよい。最終的に均質なスラリーを得るために、スラリー中に全成分を添加した後に、好ましくは１０分以上、さらに好ましくは３０分以上混合する。
【００７１】
＜工程（ｂ）＞
スラリーの乾燥方法としては、粒子形状が実質的に球状となる噴霧乾燥が特に好ましい。噴霧乾燥塔としては、熱効率や、界面活性剤担持用顆粒群の粒子強度が向上することから向流塔がより好ましい。スラリーの微粒化装置としては圧力噴霧ノズル、２流体噴霧ノズル、回転円盤式のいずれの形態でも構わないが、所望の平均粒径を得るために、圧力噴霧ノズルが特に好ましい。
【００７２】
乾燥塔に供給されるガスの温度、ガスの送風量を調節することによって、得られる界面活性剤担持用顆粒群の水分を調節することができる。生産性、製造し易さの点や安全性の面も考慮すると乾燥塔に供給されるガスの温度は、１４０〜３６０℃、好ましくは１７０〜３３０℃である。また、乾燥塔より排出されるガスの温度は乾燥塔の熱効率の点で、７０〜１０５℃、好ましくは７５〜１００℃である。又、噴霧乾燥後の界面活性剤担持用顆粒群を気流乾燥器、流動層乾燥器、回転乾燥器などによって更に乾燥して製造しても良い。
【００７３】
＜工程（ｃ）＞
本発明に用いられる界面活性剤担持用顆粒群に担持させる界面活性剤の量は、洗浄力を発揮させる点から、界面活性剤担持用顆粒群１００重量部に対して５〜８０重量部が好ましく、５〜６０重量部がより好ましく、１０〜６０重量部がさらに好ましく、２０〜６０重量部が特に好ましい。ここで、陰イオン性界面活性剤の担持量は１〜６０重量部が好ましく、１〜５０重量部がより好ましく、３〜４０重量部が特に好ましい。非イオン性界面活性剤の担持量は１〜４５重量部が好ましく、１〜３５重量部がより好ましく、４〜２５重量部が更に好ましい。非イオン性界面活性剤は単独で用いることもできるが、好ましくは、陰イオン性界面活性剤と混合して用いるのが良い。また、両性界面活性剤や陽イオン性界面活性剤を目的に合わせ併用することも出来る。ここでいう界面活性剤の担持量とは、工程（ａ）でのスラリー調製時に界面活性剤が添加される場合、その界面活性剤の添加量を含まないものである。
【００７４】
界面活性剤担持用顆粒群への界面活性剤の担持方法は、例えば、回分式や連続式の公知の混合機を用いることができる。また、回分式で行う場合は、混合機への仕込み方法は、（１）混合機に先ず界面活性剤担持用顆粒群を仕込んだ後、界面活性剤を添加する；（２）混合機に界面活性剤担持用顆粒群と、界面活性剤を少量ずつ仕込む；（３）界面活性剤担持用顆粒群の一部を混合機に仕込んだ後、残りの界面活性剤担持用顆粒群と界面活性剤とを少量ずつ仕込む；等の方法をとることができる。尚、（１）〜（３）の方法は、混合機を運転させながら行う。
【００７５】
これらの方法の中で、特に上記（１）が好ましい。また、界面活性剤は液体状態で添加することが好ましく、さらに液体状態の界面活性剤を噴霧して供給することが好ましい。
【００７６】
界面活性剤の中で、実用上の温度範囲内において昇温しても固体あるいはペースト状で存在するものについては、これらを予め粘性の低い例えば非イオン性界面活性剤、非イオン性界面活性剤水溶液又は水中に分散又は溶解させて界面活性剤の混合液又は水溶液を調製し、該混合液又は水溶液の形態で界面活性剤担持用顆粒群に添加することができる。この方法により、固体あるいはペースト状で存在する界面活性剤をも容易に界面活性剤担持用顆粒群に添加することができ、更に単核性洗剤粒子を含有する洗剤粒子群の製造に有利である。粘性の低い界面活性剤又は水と固体あるいはペースト状の界面活性剤の混合比率は、得られる混合液又は水溶液が噴霧可能である粘度範囲であれば好ましく、例えばポリオキシエチレンドデシルエーテルとドデシルベンゼンスルホン酸ナトリウムであれば、両者の比を１：１．４〜１．４：１の範囲で調整することで、容易に噴霧可能な界面活性剤混合液を得ることができる。
【００７７】
上記混合液の製法は、例えば、粘性の低い界面活性剤又は水に固体あるいはペースト状の界面活性剤を投入して混合する方法や、粘性の低い界面活性剤中又は水中で界面活性剤の酸前駆体をアルカリ剤（例えば苛性ソーダ水溶液や苛性カリ水溶液）で中和することにより界面活性剤混合液を調製してもよい。
【００７８】
本発明で用いることのできる陰イオン性界面活性剤の酸前駆体としては、例えば、アルキルベンゼンスルホン酸、アルキル又はアルケニルエーテル硫酸、アルキル又はアルケニル硫酸、α-オレフィンスルホン酸、α-スルホン化脂肪酸、アルキル又はアルケニルエーテルカルボン酸、脂肪酸等が挙げられる。特に脂肪酸を界面活性剤の添加後に添加することが洗剤粒子群の流動性向上の観点より好ましい。
【００７９】
陰イオン性界面活性剤の酸前駆体の使用量としては、界面活性剤担持用顆粒群１００重量部に対して０．５〜３０重量部が好ましく、１〜２０重量部がさらに好ましい。陰イオン性界面活性剤の酸前駆体の使用量はこの範囲において、洗剤粒子群中の粒子の単核性が維持される傾向にあり、従って良好な高速溶解性を呈する。また、陰イオン性界面活性剤の酸前駆体の添加方法としては、常温で液体のものは噴霧して供給することが好ましく、常温で固体のものは粉末として添加してもよく、溶融させた後噴霧して供給してもよい。ただし、粉末で添加する場合は、粉末が溶融する温度まで混合機中の洗剤粒子群の温度を昇温するのが好ましい。
【００８０】
工程（ｃ）で好ましく用いられる装置としては、ヘンシェルミキサー（三井三池化工機（株）製）、ハイスピードミキサー（深江工業（株）製）、バーチカルグラニュレーター（（株）パウレック製）、レディゲミキサー（松坂技研（株）製）、プロシェアミキサー（太平洋機工（株）製）、ナウターミキサー（ホソカワミクロン（株）製）等がある。
【００８１】
好ましい混合機としては、単核性洗剤粒子を多く含有する洗剤粒子群を製造する観点から界面活性剤担持用顆粒に強い剪断力がかかりにくい（界面活性剤担持用顆粒を崩壊させにくい）装置であり、界面活性剤の分散効率の観点から混合効率のよい装置が好ましい。上記の混合機の中で特に好ましくは、横型の混合槽で円筒の中心に攪拌軸を有し、この軸に攪拌羽根を取り付けて粉末の混合を行う形式のミキサー（横型混合機）でレディゲミキサー、プロシェアミキサー等がある。
【００８２】
また、上記混合機の連続型装置を用いて界面活性剤担持用顆粒群に界面活性剤を担持させてもよい。また、上記以外の混合機で連続型の装置としては、例えばフレキソミックス型（（株）パウレック製）、タービュライザー（ホソカワミクロン（株）製）等がある。
【００８３】
また、この工程において、非イオン性界面活性剤が使用される場合、この界面活性剤の融点上昇剤となる融点４５〜１００℃、分子量１０００〜３００００の水溶性非イオン性有機化合物（以下、融点上昇剤という）又はこの水溶液を界面活性剤の添加前、界面活性剤の添加と同時、界面活性剤の添加途中、または界面活性剤添加後、あるいは界面活性剤に予め混合して添加することも可能である。融点上昇剤を添加することで、洗剤粒子群中の界面活性剤のシミ出し性を抑制することができる。本発明で用いることのできる融点上昇剤としては、例えば、ポリエチレングリコール、ポリプロピレングリコール、ポリオキシエチレンアルキルエーテル、プルロニック型非イオン性界面活性剤等が挙げられる。
【００８４】
融点上昇剤の使用量は、界面活性剤担持用顆粒群１００重量部に対して０．５〜５重量部が好ましく、０．５〜３重量部が好ましい。この範囲が、洗剤粒子群に含有される洗剤粒子の単核性の維持、高速溶解性、及びシミ出し抑制の点から好ましい。融点上昇剤の添加方法として、予め界面活性剤と任意の方法で混合して添加すること、または界面活性剤の添加後に融点上昇剤を添加することが洗剤粒子群のシミ出しの抑制に有利である。
【００８５】
混合機内の温度は、界面活性剤の融点以上に昇温して混合を行えば、より好ましい。ここで、昇温させる温度としては、界面活性剤の担持を促進させるために添加する界面活性剤の融点より高ければよいが、実用的な範囲を挙げると融点を越えて融点より５０℃高い温度までが好ましく、融点より１０℃〜３０℃高い温度がより好ましい。また、この工程で陰イオン性界面活性剤の酸前駆体を添加する場合は、当該陰イオン性界面活性剤の酸前駆体が反応できる温度に昇温して混合を行えばより好ましい。
【００８６】
好適な洗剤粒子群を得るための回分式の混合時間、及び連続式の混合における平均滞留時間は、１〜２０分間が好ましく、２〜１０分間が更に好ましい。
【００８７】
工程（ｃ）においては、界面活性剤の添加前、界面活性剤の添加と同時、界面活性剤の添加途中、または界面活性剤添加後に、結晶性アルカリ金属珪酸塩を添加することが可能である。結晶性アルカリ金属珪酸塩は、この工程（ｃ）で加えられるのが好ましいが、一部を表面改質剤として後述の工程（ｅ）において添加しても良いし、結晶性アルカリ金属珪酸塩顆粒として、アフターブレンドしても良い。
【００８８】
また、結晶性アルカリ金属珪酸塩を添加する場合、その添加前、添加と同時、添加途中、添加後に、結晶性アルカリ金属珪酸塩以外の粉末ビルダー、及び／又は粉末の界面活性剤を添加することも可能である。粉末ビルダーを添加することで、洗剤粒子群の粒子径をコントロールすることができ、また洗浄力の向上を図ることができる。特に陰イオン性界面活性剤の酸前駆体を添加する場合は該酸前駆体を添加する前にアルカリ性を呈する粉末ビルダーを添加することが中和反応を促進する観点から有効である。尚、ここで言う粉末ビルダーとは、界面活性剤以外の粉末の洗浄力強化剤を意味し、具体的には、ゼオライト、クエン酸塩等の金属イオン封鎖能を示す基剤や、炭酸ナトリウム、炭酸カリウム等のアルカリ緩衝能を示す基剤、その他硫酸ナトリウム等のイオン強度を高める基剤等を指す。
【００８９】
当該粉末ビルダーの使用量としては、界面活性剤担持用顆粒群１００重量部に対して０．５〜１２重量部が好ましく、１〜６重量部がさらに好ましい。当該洗剤用粉末ビルダーの使用量はこの範囲において、洗剤粒子群に含有される洗剤粒子の単核性を維持し、良好な高速溶解性を得られ、また、粒子径のコントロールも好適である。
【００９０】
＜工程（ｄ）＞
前述した帯電量調整方法を用いて、工程（ｃ）で得られた混合物（洗剤粒子）及び／又は表面改質用粉末の帯電量の符号をお互いに正反対に調整する。
【００９１】
なお、帯電量を調整する前の洗剤粒子及び表面改質用粉末の帯電量の符号は、それぞれが調製された任意の段階で確認することが好ましい。この確認された帯電量の結果により一概に決定できないが、洗剤粒子と表面改質用粉末の両方に処理を施してもよいし、いずれか一方に処理を施してもよい。
【００９２】
該表面改質用粉末としては、アルミノ珪酸塩が特に好ましく、結晶性、非晶質の何れでも構わないが、カルシウム捕捉能の観点から、結晶性のものが好ましい。アルミノ珪酸塩以外では、硫酸ナトリウム、珪酸カルシウム、二酸化珪素、ベントナイト、タルク、クレイ、非晶質シリカ誘導体のような微粉体も好ましい。また結晶性アルカリ金属珪酸塩で平均粒径が１０μｍ以下であるものは、表面改質用粉末として用いることができる。また、一次粒子が０．１〜１０μｍ、好ましくは０．５〜５μｍの金属石鹸、粉末の界面活性剤（例えばアルキル硫酸塩等）や水溶性有機酸塩も同様に用いることができる。
【００９３】
表面改質用粉末の使用量としては、洗剤粒子群１００重量部に対して０．５〜４０重量部が好ましく、１〜３０重量部がより好ましく、２〜２０重量部が特に好ましい。当該表面改質用粉末の使用量はこの範囲において、流動性が向上し、消費者に良好な使用感を与える。
【００９４】
また、界面活性剤を添加する場合は、事前に添加していても良いが、コーティング操作の直前に行う方が好ましい。界面活性剤の添加方法としては、連続的に添加しても良いし、回分式処理をしても構わない。
【００９５】
市販の静電気除去装置を用いる場合は、コーティング操作の直前に帯電量調整の操作を行うことが好ましい。操作は連続的に行っても回分式処理で行っても構わない。
【００９６】
帯電量調整処理は、洗剤粒子と表面改質用粉末をそれぞれ別に処理することが好ましい。処理の方法としては、連続的に処理しても構わないし、バッチ処理でも構わない。
【００９７】
＜工程（ｅ）＞
本発明においては、工程（ｃ）により界面活性剤を担持させた洗剤粒子群の粒子表面を改質するために、工程（ｄ）において帯電量の符号を反対にした洗剤粒子群と表面改質用粉末を混合する工程（工程（ｅ））を一工程あるいは二工程重複して行う。
【００９８】
工程（ｅ）で使用される装置は特に限定されず、公知の混合機を用いることができるが、前述の工程（ｃ）で例示した混合機が好ましい。表面改質用粉末の分散効率の観点からは混合効率の良い装置が好ましく、洗剤粒子に付着した表面改質用粉末が剥れ落ちるのを防止する意味では、強い剪断力がかかりにくい装置が好ましい。工程（ｃ）で列挙した混合機の中で特に好ましくは、横型の混合槽で円筒の中心に攪拌軸を有し、この軸に攪拌羽根を取り付けて粉末の混合を行う形式のミキサー（横型混合機）でレディゲミキサー、プロシェアミキサー等がある。
【００９９】
また、上記の混合機で一旦、洗剤粒子群のコーティング処理を行った後、更により剪断力のかかりにくい別の混合機で二段階目のコーティング処理を行うと表面被覆率が高くなり好ましい。二段階目のコーティング処理に用いられる混合機としては、ロータリーミキサーやドラムミキサーのような回転円筒型混合機が好ましい。
【０１００】
８．洗剤組成物
また、工程（ｅ）を経て得られた洗剤粒子群を用い、必要であれば他の洗剤成分と混合することで、洗剤組成物を調製することができる。したがって、本発明は、前記表面改質処理方法を用いることにより得られる洗剤粒子群を含む洗剤組成物の製造方法に関する。他の洗剤成分としては、例えば、結晶性アルカリ金属珪酸塩の造粒物、蛍光染料、酵素、香料、消泡剤、漂白剤、漂白活性化剤等が好ましい。
【０１０１】
洗剤組成物中の洗剤粒子群の含有量は、洗浄力の点から５０重量％以上が好ましく、６０重量％以上がより好ましく、７０重量％以上がさらに好ましく、８０重量％以上が特に好ましい。また、洗剤粒子群の含有量の上限は、９９．９重量％以下が好ましく、９９重量％以下がより好ましい。
【０１０２】
洗剤粒子群以外の洗剤成分の洗剤組成物中における含有量は、５０重量％以下が好ましく、４０重量％以下がより好ましく、３０重量％以下がさらに好ましく、２０重量％以下が特に好ましい。
【０１０３】
前記洗剤組成物の用途としては特に限定されるものではないが、衣料用洗剤、食器用洗剤、住居用洗剤、自動車用洗剤、歯ミガキ、身体用洗剤、金属用洗浄剤等として用いられる。
【実施例】
【０１０４】
本発明を以下に例示するが、本発明はこれに限定されない。実施例及び比較例において、表面改質用粉末、洗剤粒子、洗剤粒子群の物性は以下の試験方法により評価した。
（水分）：ＪＩＳ  Ｋ  ００６８により規定された方法にて測定した。
（嵩密度）：ＪＩＳ  Ｋ  ３３６２により規定された方法で測定した。
（平均粒径）：ＪＩＳ  Ｚ  ８８０１の標準篩（目開き２０００〜１２５μｍ）を用いて５分間振動させた後、篩目のサイズによる重量分率からメジアン径を算出した。
【０１０５】
（表面被覆率）：フーリエ変換赤外光音響分光法（ＦＴ-ＩＲ／ＰＡＳ）を用いて非破壊で洗剤粒子表面の改質剤による被覆率を定量することが可能である。すなわち、表面改質用粉末と洗剤粒子のスペクトルを測定し、お互いに重複することのないピークを指標ピークとして選定した。洗剤粒子群のＦＴ-ＩＲ／ＰＡＳを測定し、（表面改質用粉末の指標ピーク強度）と（洗剤粒子の指標ピーク強度）の比を表面被覆率とした。本発明の実施例においては、表面改質用粉末の指標ピークとしてはゼオライトの結晶水に由来する１６５０ｃｍ-1付近のピークを使用し、洗剤粒子の指標ピークとしてはポリアクリル酸ナトリウムの-ＣＯＯ-基に由来する１５８０ｃｍ-1付近のピークを使用した。ＦＴ-ＩＲ／ＰＡＳの値が大きい程、洗剤粒子の表面が表面改質用粉末で被覆されていることを示す。
【０１０６】
（コーティング層厚み）：平均粒径を求めた際に分級した洗剤粒子群に関して、各篩上の粒子を重量百分率の値に従って、割断した。例えば、２５０オン、３５５パスの重量百分率が２５％の場合、２５個の洗剤粒子を割断し、割断した粒子の表面改質用粉体の厚みを操作型電子顕微鏡にて観察した。合計１００個の洗剤粒子の平均値をもって、該洗剤粒子のコーティング層の厚みとした。
【０１０７】
（耐ケーキング性）：ＪＩＳ  Ｐ  ３８０１に規定される２種型ろ紙（例えば、東洋濾紙（株）製「定性Ｎｏ２濾紙」）を用いた縦×横×高さ＝１４．５ｃｍ×９．２ｃｍ×１３．５ｃｍの上面が開口した容器を作った。この箱に洗剤粒子群サンプル１２００ｇを入れた。これを温度３０℃、湿度７０％の恒温恒湿器中に放置し、８日後にケーキング状態について判定を行った。判定は、試験後の試料を篩（ＪＩＳ  Ｚ  ８８０１規定の目開き４７６０μｍ）上に静かにあけ、通過した粉末の重量を計り、試験後の試料に対する篩通過率を求めることによって行った。篩通過率が高いほど、耐ケーキング性が高く、洗剤粒子群として好ましい物性である。
【０１０８】
（溶解性）：測定条件：５℃±０．５℃の硬度４°ＤＨの水１．００Ｌ±０．０３Ｌに試料１．０００ｇ±０．０１０ｇを投入し、１Ｌビーカー（内径１０５ｍｍ）内で円柱状攪拌子（長さ３５ｍｍ、直径８ｍｍ）にて１２０秒間、回転数８００ｒ／ｍにて攪拌した後、ＪＩＳＺ８８０１規定の標準篩（目開き３００μｍ）にて溶残物を濾過した。分級粒子群の溶解率Ｖは、下記式（ａ）により算出した。
Ｖ＝（１-Ｔ／Ｓ）×１００（％）  （ａ）
（ここで、Ｓは各分級粒子群の投入重量（ｇ）、Ｔは濾過後の篩上に残存する各分級粒子群の溶残物の乾燥重量（ｇ）を示す。）。
【０１０９】
（帯電量）：（株）キーエンス製の高精度静電気センサＳＫ-０３０／２００のセンサ部を粉体層または粒子群の上方１ｃｍまで近づけて測定した。５ヶ所の平均値をとって、帯電量とした。
【０１１０】
本実施例においては、特に記載のない限り下記の原料を用いた。
硫酸ナトリウム：「無水中性芒硝」（四国化成（株）製）
亜硫酸ナトリウム：「亜硫酸ソーダ」（三井化学（株）製）
蛍光染料：「チノパールＣＢＳ-Ｘ」（チバスペシャリティケミカルス社製）
炭酸ナトリウム：「デンス灰」（平均粒径：２９０μｍ、セントラル硝子（株）製）
４０重量％ポリアクリル酸ナトリウム水溶液：重量平均分子量１万（花王（株）製）
塩化ナトリウム：「焼き塩Ｓ」（日本製塩（株）製）
結晶性アルミノ珪酸ナトリウム（ゼオライト）：「ゼオビルダー」（４Ａ型、平均粒径：３．５μｍ、ゼオビルダー製）
ポリオキシエチレンアルキルエーテル：「エマルゲン１０８ＫＭ」（エチレンオキサイド平均付加モル数：８．５、アルキル鎖の炭素数：１２〜１４、花王（株）製）
ポリエチレングリコール：「Ｋ-ＰＥＧ６０００」（重量平均分子量：８５００、花王（株）製）
結晶性層状二珪酸ナトリウム：「プリフィードＮ」（（株）トクヤマシルテック製）
なお、かぎ括弧内の用語は商品名を示す。
【０１１１】
実施例１
混合槽に水４８６重量部を入れ、水温が４５℃に達した後に、硫酸ナトリウム１１２重量部、亜硫酸ナトリウム５重量部、蛍光染料１重量部を添加して１０分間攪拌した。炭酸ナトリウム１２４重量部を添加し、４０重量％ポリアクリル酸ナトリウム水溶液２３０重量部を添加し１０分間攪拌し、塩化ナトリウム４６重量部と、更にゼオライト１９６重量部を添加し、１５分間攪拌して均質なスラリーを得た（スラリー水分５３重量％）。このスラリーの最終温度は５０℃であった。
【０１１２】
スラリーをポンプで噴霧乾燥塔（向流式）に供給し、塔頂付近に設置した圧力噴霧ノズルから噴霧圧２．５ＭＰａで噴霧を行った。噴霧乾燥塔に供給する高温ガスは塔下部より温度が２５０℃で供給され、塔頂より９５℃で排出された。その際の送風インバータの出力は７０％であった。得られた界面活性剤担持用顆粒群１の水分は２．６％、嵩密度は５３２ｇ／Ｌ、平均粒径は２９５μｍであった。この界面活性剤担持用顆粒群を用いて、次に示す方法で洗剤粒子群を製造した。
【０１１３】
レディゲミキサー（松坂技研（株）製、容量１３０Ｌ、ジャケット付）に得られた界面活性剤担持用顆粒群を１００重量部と結晶性層状二珪酸ナトリウムを２０重量部投入し、主軸（攪拌翼、回転数：６０ｒ／ｍ、周速：１．６ｍ／ｓ）の攪拌を開始した。尚、ジャケットに８０℃の温水を１０Ｌ／分で流した。そこに、８０℃に加熱した界面活性剤組成物（ポリオキシエチレンアルキルエーテル／ポリエチレングリコール／アルキルベンゼンスルホン酸ナトリウム／水＝４２／８／４２／８（重量比））５０重量部を２分間で投入し、その後５分間攪拌を行った。最後に、陽イオン性界面活性剤（ラウリルトリメチルアンモニウムクロライド：「コータミン２４Ｐ」）５重量部を添加した後、３０秒間撹拌した。撹拌終了後、レディゲミキサーから被コーティング粒子群を排出し、内径４２．６ｍｍ、配管長２３．５ｍのステンレス製輸送管を用いて風量１．２ｍ3／ｍｉｎ、輸送圧０．８ｋｇｆ／ｃｍ2、元加圧１．０ｋｇｆ／ｃｍ2の条件で空気輸送し、φ４００のコンクリートミキサー内に供給した。コンクリートミキサー内における被コーティング粒子群の帯電量は＋１５Ｖであった。
【０１１４】
ゼオライト２０重量部を容量９Ｌのヘンシェルミキサー（三井三池工機(株)  「ＦＭ１０Ｂ」）に入れ、ジャケット温度を２０℃にして、３５００ｒ／ｍで撹拌しながら、０．２重量部の両性イオン界面活性剤（アルキルジメチルカルボキシメチルベタイン：商品名アンヒトール２０ＢＳ）を３０秒間かけて添加した。その後、３５００ｒ／ｍで９０秒間撹拌し、表面改質剤を得た。該表面改質剤１０重量部を内径４２．６ｍｍ、配管長２３．５ｍのステンレス製の輸送管を用いて風量１．２ｍ3／ｍｉｎ、輸送圧０．８ｋｇｆ／ｃｍ2、元加圧１．０ｋｇｆ／ｃｍ2の条件で空気輸送し、被コーティング粒子群が供給されているコンクリートミキサー内まで輸送した。空気輸送後の該表面改質剤の帯電量は−２０Ｖであった。φ４００コンクリートミキサー（バッフル８枚）を回転数１４ｒ／ｍ、遠心効果０．０４、傾斜角１０°にて１８０秒間運転することにより、被コーティング粒子群を該表面改質剤によって表面改質処理し、洗剤粒子群１を得た。洗剤粒子群の表面被覆量はＦＴ−ＩＲ／ＰＡＳの値で１．９８（−）であった。また耐ケーキング性は、篩通過率の値で８７（％）だった。
【０１１５】
実施例２
実施例１におけるゼオライトを両性イオン界面活性剤にて処理する工程を省略した以外は、実施例１と同様な方法で、表面改質剤２と洗剤粒子群２を得た。空気輸送後の表面改質剤２の帯電量は−３６０Ｖであった。また洗剤粒子群２の表面被覆量はＦＴ−ＩＲ／ＰＡＳの値で１．７６（−）であった。また耐ケーキング性は、篩通過率の値で７４（％）だった。
【０１１６】
実施例３
実施例１で行った洗剤粒子群の陽イオン性界面活性剤の処理を行わずに、ステンレス製の配管でコンクリートミキサー内まで空気輸送した。空気輸送後の被コーティング粒子群の帯電量は−１１５Ｖであった。また、ゼオライト１０重量部をアクリル製の配管を使用して、実施例１と同様の条件で空気輸送を行った。空気輸送後の該表面改質用粉末３の帯電量は＋３０Ｖであった。実施例１と同じ運転条件でコーティング処理を行い、洗剤粒子群３を得た。洗剤粒子群３の表面被覆量はＦＴ-ＩＲ／ＰＡＳの値で１．８５（-）であった。また耐ケーキング性は、篩通過率の値で８２（％）だった。
【０１１７】
比較例
実施例１における陽イオン性界面活性剤による被コーティング粒子群の処理と、ゼオライトを両性イオン界面活性剤にて処理する工程のいずれも省略した以外は、実施例１と同様な方法で、表面改質剤３と洗剤粒子群３を得た。空気輸送後の被コーティング粒子群３の帯電量は−１１０Ｖ、表面改質剤３の帯電量は−３６０Ｖであった。また洗剤粒子群３の表面被覆量はＦＴ−ＩＲ／ＰＡＳの値で０．８２（−）であった。また耐ケーキング性は、篩通過率の値で４５（％）だった。
【０１１８】
表面改質剤と被コーティング粒子群の帯電量、洗剤粒子群のＦＴ−ＩＲ／ＰＡＳ値、篩通過率を表１にまとめた。また、界面活性剤担持用顆粒群の組成及び物性を表２に示す。また、担持させた界面活性剤組成物の組成を表３に示す。実施例１〜３においては、被コーティング粒子群と表面改質剤の電荷の符号が正反対に調整されているため、表面被覆率が高くなったと考えられる。また表面被覆率が高くなったことにより、耐ケーキング性も向上したと考えられる。溶解性に影響を与えるようなバインダー成分を含んでいないので溶解率に関しても比較例のサンプルと差がないことが確認できた。
【０１１９】
【表１】
2006052272.tif 000002
【０１２０】
【表２】
2006052272.tif 000003
【０１２１】
【表３】
2006052272.tif 000004
【産業上の利用可能性】
【０１２２】
本発明により得られる洗剤組成物は、衣料用洗剤、食器用洗剤、住居用洗剤、自動車用洗剤、歯ミガキ、身体用洗剤、金属用洗浄剤等として好適に用いられる。